(57)【要約】【課題】サンダルを履いた際に足の踵部の下にズボンの裾が入り込むことを確実に防止できるサンダル用アクセサリを提供する。【解決手段】足２０の踵部２１とサンダル１の後部との間に跨って配置される帯状または紐状の本体部１１と、この本体部１１の一端側に設けられ、足２０の足首２２の部分に着脱自在に接続される足側接続部１２と、本体部１１の他端側に設けられ、サンダル１の後部に着脱自在に接続されるサンダル側接続部１３と、によりサンダル用アクセサリ１０を構成する。このサンダル用アクセサリ１０を使用した状態では、足２０の踵部２１とサンダル１の後部との間に跨ってアクセサリ１０の本体部１１が配置されることにより、足２０の踵部２１の下にズボン３０の裾３１が入り込む状態となることはないので、常に軽快に歩くことができる。【選択図】図１
2006280740.tif 000002
【特許請求の範囲】
【請求項１】
足の踵部とサンダルの後部との間に跨って配置される帯状または紐状の本体部と、上記本体部の一端側に設けられ、上記足の足首部分に着脱自在に接続される足側接続部と、上記本体部の他端側に設けられ、上記サンダルの後部に着脱自在に接続されるサンダル側接続部と、を有して構成されるサンダル用アクセサリ。
【請求項２】
請求項１に記載のサンダル用アクセサリにおいて、
上記足側接続部は、足首に巻き付けるようにして装着する構造であるサンダル用アクセサリ。
【請求項３】
請求項１に記載のサンダル用アクセサリにおいて、
上記サンダル側接続部は、足の踵部を支持するサンダルの脚柱部に引掛けるようにして装着する構造であるサンダル用アクセサリ。
【発明の詳細な説明】
【技術分野】
【０００１】
本発明は、サンダルを履くときに使用するサンダル用アクセサリに関し、特に足の踵部とサンダルとの間にズボンの裾が挟まらないようにするためのものである。
【背景技術】
【０００２】
一般にサンダルは、その前部にのみ足を保持する部分があり、後部は開放されている。このため、ズボンを履いたスタイルでは、足の踵部の下にズボンの裾が入り込み、これをサンダルとの間で挟んでしまう状態となることが多くある。
【発明の開示】
【発明が解決しようとする課題】
【０００３】
このように足の踵部とサンダルとの間にズボンの裾が挟まった状態では、非常に歩きづらく、また不快である。本発明者らがサンダルのユーザーを対象に独自の調査を行なったところ、多くのユーザーに同様の経験があり、その改善策を望んでいることが判明した。しかしながら、上記の改善策を実現できるものは現在までに提案されていない。
【０００４】
本発明は斯かる点に鑑みてなされたもので、サンダルを履いた際に足の踵部の下にズボンの裾が入り込むことを確実に防止できるサンダル用アクセサリを提供することを目的とする。
【課題を解決するための手段】
【０００５】
上記の目的を達成するものとして本発明のサンダル用アクセサリは、足の踵部とサンダルの後部との間に跨って配置される帯状または紐状の本体部と、この本体部の一端側に設けられ、足の足首部分に着脱自在に接続される足側接続部と、本体部の他端側に設けられ、サンダルの後部に着脱自在に接続されるサンダル側接続部と、を有して構成されるものである。
【発明の効果】
【０００６】
上記の如く構成される本発明のサンダル用アクセサリを使用した状態では、足の踵部とサンダルの後部との間に跨ってアクセサリの本体部が配置されることにより、足の踵部の下にズボンの裾が入り込む状態となることはないので、常に軽快に歩くことができる。またこのサンダル用アクセサリは、足側接続部が足首に接続されると共に、サンダル側接続部がサンダルの後部に接続されることにより、所定の位置でしっかりと装着されるので、簡単には脱落することがなく、安心して使用することができる。
【発明を実施するための最良の形態】
【０００７】
以下、図面を参照しながら本発明の実施例について詳細に説明する。
図１は本発明によるサンダル用アクセサリの使用状態を示す側面図、図２は同アクセサリの構成を示す斜視図である。図１に示すサンダル１は、足２０を載せる基台部２と、この基台部２の前部に設けられる保持バンド部３と、基台部２の後部底面側に設けられる脚柱部(ヒール)４と、を有して構成され、このサンダル１を履いた状態では、保持バンド部３によって足２０の甲側が保持されると共に、脚柱部４によって足２０の踵部２１が持ち上げられるように支持される構成となっている。
【０００８】
そして、このサンダル１を履いた状態で使用する本発明のサンダル用アクセサリ１０は、足２０の踵部２１とサンダル１の後部との間に跨って配置される帯状の本体部１１と、この本体部１１の一端(上端)側に設けられ、足２０の足首２２の部分に着脱自在に接続される足側接続部１２と、本体部１１の他端(下端)側に設けられ、サンダル１の後部に着脱自在に接続されるサンダル側接続部１３と、を有して構成されている。
【０００９】
このアクセサリ１０は、ビニール素材などの柔軟な材料で形成されており、使用しないときには簡単に折り畳んで持ち運ぶことができる。またこのアクセサリ１０の材料としては、ビニール素材の他にゴム材などの伸縮性を有する材料を用いることもできる。
【００１０】
このアクセサリ１０における本体部１１は、所要長さの帯状に形成されており、その長さは１０ｃｍ前後が適当である。この本体部１１は、帯状に限ることなく紐状に形成することもできる。また図２の例ではこの本体部１１は１本であるが、図３のように複数本としてもよい。また、この本体部１１を「Ｘ」形にクロスさせた形状や、「Ａ」「Ｖ」「Ｈ」などの文字を象った形状とし、ファッション性を強調させたものとしてもよい。
【００１１】
本体部１１の上端側に連続して設けられる足側接続部１２は、リング状に形成されており、これを足首２２に巻き付けるようにして装着する。ここでこの足側接続部１２をゴム材などの伸縮性を有する材料で形成すれば、これに足首２２を簡単に通すことができ、かつ足首２２にしっかりと取り付けられた状態に装着できる。
【００１２】
一方、本体部１１の下端側に連続して設けられるサンダル側接続部１３は、足側接続部１２より小さい径のリング状に形成されており、これをサンダル１の後部の脚柱部４に引掛けるようにして装着するものである。
【００１３】
このようにして本発明によるサンダル用アクセサリ１０を装着した状態では、足２０の踵部２１とサンダル１の後部との間に跨ってアクセサリ１０の本体部１１が配置されることにより、これがガードとなってズボン３０の裾３１は足２０の踵部２１の下に入り込むことがない。従って、足２０の踵部２１とサンダル１との間にズボン３０の裾３１が挟まる状態となることはないので、常に軽快に歩くことができる。
【００１４】
またこのアクセサリ１０は、足側接続部１２が足首２２に接続されると共に、サンダル側接続部１３がサンダル１の後部の脚柱部４に接続されることにより、所定の位置でしっかりと装着されるので、簡単には脱落することがなく、安心して使用することができる。
【００１５】
このアクセサリ１０は、透明な材料で形成してもよいし、任意の着色を施したものでもよい。また、その一部または全体に模様などを描いてもよい。さらに材料としてビーズ紐やチェーン素材などを用いることもでき、これにより一段とファッション性の高いアクセサリを提供することができる。
【００１６】
図４及び図５は、足側接続部１２の他の実施例を示している。
図４の実施例は、リング状の足側接続部１２の一部を切断し、その切断端部に互いに向き合う着脱手段１５，１６を設けた構成としたものである。この着脱手段１５，１６としては、例えば面ファスナが好適に用いられ、これによってアクセサリ１０を簡単に足首２２に巻き付けて装着できると共に、取り外しも簡単に行なうことができる。
図５の実施例は、アクセサリ１０の足側接続部１２を、足首２２に装着される装飾品のアンクレット１７と兼用する構成としたものである。またこの実施例では、アクセサリ１０の本体部１１の材料にチェーン素材を用いてあり、アンクレット１７との組み合わせによってさらにファッション性に優れたアクセサリを実現している。
【００１７】
このアクセサリ１０においては、本体部１１と足側接続部１２とを着脱可能に構成してもよい。その実施例を図６に示す。図６は、図５の変形例を示すもので、チェーン素材によりなる本体部１１とアンクレット１７を兼用する足側接続部１３とを着脱可能に構成した例である。即ちこの実施例では、本体部１１の上端側に着脱フック１４が取り付けられており、この着脱フック１４をアンクレット１７に引掛けて連結する構成となっている。そしてこの構成において、本発明によるアクセサリ１０を使用しないときには、着脱フック１４をアンクレット１７から取り外すことにより、アンクレット１７を単体で使用することができるので、便利である。
【００１８】
図７は、サンダル側接続部１３の他の実施例を示している。即ちこの実施例では、アクセサリ１０の本体部１１の下端とサンダル１の基台部２の後端面に、互いに向き合う着脱手段１８，１９を設けてあり、ここで着脱手段１８が設けられる本体部１１の下端がサンダル側接続部１３となっている。この着脱手段１８，１９としては、例えば面ファスナや磁石などが好適に用いられ、これによってサンダル１に対しアクセサリ１０を簡単に着脱できるので、より使い易いものとなる。
【００１９】
以上、本発明の実施例について説明したが、本発明はこれらの実施例に限ることなく他にも種々の実施例が考えられる。例えば本発明のシンプルな実施例として、アクセサリを全体的に８の字形状に形成してその中央部分を本体部とし、一端側のループを足側接続部として足首に掛けると共に他端側のループをサンダル側接続部としてサンダルの脚柱部に掛けるようにして使用する構成も可能である。
【図面の簡単な説明】
【００２０】
【図１】本発明によるサンダル用アクセサリの使用状態を示す側面図である。
【図２】同アクセサリの構成を示す斜視図である。
【図３】同アクセサリにおける本体部の他の構成例を示す斜視図である。
【図４】同アクセサリにおける足側接続部の他の構成例を示す斜視図である。
【図５】同アクセサリにおける足側接続部のさらに他の構成例を示す斜視図である。
【図６】図５の変形例を示す斜視図である。
【図７】同アクセサリにおけるサンダル側接続部の他の構成例を示す斜視図である。
【符号の説明】
【００２１】
１…サンダル
１０…サンダル用アクセサリ
１１…本体部
１２…足側接続部
１３…サンダル側接続部
２０…足
２１…踵部
２２…足首
３０…ズボン
３１…裾
【図１】
2006280740.tif 000003
【図２】
2006280740.tif 000004
【図３】
2006280740.tif 000005
【図４】
2006280740.tif 000006
【図５】
2006280740.tif 000007
【図６】
2006280740.tif 000008
【図７】
2006280740.tif 000009